(57)【特許請求の範囲】
【請求項１】
インピーダンス整合のための基準となる抵抗値を有する外部抵抗器と、
前記外部抵抗器が接続された集積回路の端子の出力インピーダンスを前記外部抵抗器の抵抗値に対応して整合させるインピーダンス整合手段と、
前記インピーダンス整合手段でのインピーダンス整合においてノイズの影響を受けると判断される場合に、前記インピーダンス整合手段にインピーダンス整合を行わせない制御信号を出力する信号生成手段と、を備え、
前記信号生成手段は、
前記外部抵抗器が接続されている端子に電力を供給している電源から供給される電力により動作する信号の動作頻度を判定する判定手段を有し、
前記判定手段により判定される動作頻度が所定値以上の場合に、前記インピーダンス整合手段にインピーダンス整合を行わせない制御信号を出力することを特徴とする撮像装置。
【請求項２】
インピーダンス整合のための基準となる抵抗値を有する外部抵抗器と、
前記外部抵抗器が接続された集積回路の端子の出力インピーダンスを前記外部抵抗器の抵抗値に対応して整合させるインピーダンス整合手段と、
前記インピーダンス整合手段でのインピーダンス整合においてノイズの影響を受けると判断される場合に、前記インピーダンス整合手段にインピーダンス整合を行わせない制御信号を出力する信号生成手段と、
フラッシュ装置と、を備え、
前記信号生成手段は、前記フラッシュ装置を充電している期間では、前記インピーダンス整合手段にインピーダンス整合を行わせない制御信号を出力することを特徴とする撮像装置。
【請求項３】
インピーダンス整合のための基準となる抵抗値を有する外部抵抗器と、
前記外部抵抗器が接続された集積回路の端子の出力インピーダンスを前記外部抵抗器の抵抗値に対応して整合させるインピーダンス整合手段と、
前記インピーダンス整合手段でのインピーダンス整合においてノイズの影響を受けると判断される場合に、前記インピーダンス整合手段にインピーダンス整合を行わせない制御信号を出力する信号生成手段と、
レンズ駆動部と、を備え、
前記信号生成手段は、前記レンズ駆動部が撮像レンズを駆動している期間では、前記インピーダンス整合手段にインピーダンス整合を行わせない制御信号を出力することを特徴とする撮像装置。
【請求項４】
インピーダンス整合のための基準となる抵抗値を有する外部抵抗器と、
前記外部抵抗器が接続された集積回路の端子の出力インピーダンスを前記外部抵抗器の抵抗値に対応して整合させるインピーダンス整合手段と、
前記インピーダンス整合手段でのインピーダンス整合においてノイズの影響を受けると判断される場合に、前記インピーダンス整合手段にインピーダンス整合を行わせない制御信号を出力する信号生成手段と、
本撮影をする前に測光、ＡＦ処理を指示するスイッチと、を備え、
前記信号生成手段は、前記スイッチが押された場合には、前記インピーダンス整合手段にインピーダンス整合を行わせない制御信号を出力することを特徴とする撮像装置。
【請求項５】
インピーダンス整合のための基準となる抵抗値を有する外部抵抗器と、
前記外部抵抗器が接続された集積回路の端子の出力インピーダンスを前記外部抵抗器の抵抗値に対応して整合させるインピーダンス整合手段と、
前記インピーダンス整合手段でのインピーダンス整合においてノイズの影響を受けると判断される場合に、前記インピーダンス整合手段にインピーダンス整合を行わせない制御信号を出力する信号生成手段と、
バッテリと、
当該バッテリの出力電圧を検出する検出手段と、を備え、
前記信号生成手段は、前記検出手段で検出された前記出力電圧が所定値以下の場合に、前記インピーダンス整合手段にインピーダンス整合を行わせない制御信号を出力することを特徴とする撮像装置。
【請求項６】
前記インピーダンス整合手段は、前記バッテリの出力電圧に基づき生成された基準電圧を用いて、出力インピーダンスの整合を行うことを特徴とする請求項５に記載の撮像装置。
【請求項７】
インピーダンス整合手段が、インピーダンス整合のための基準となる抵抗値を有する外部抵抗器が接続された集積回路の端子の出力インピーダンスを前記外部抵抗器の抵抗値に対応して整合させるインピーダンス整合工程と、
信号生成手段が、前記インピーダンス整合工程でのインピーダンス整合においてノイズの影響を受けると判断される場合に、前記インピーダンス整合工程におけるインピーダンス整合を行わせない制御信号を出力する信号生成工程と、を備え、
前記信号生成工程は、
判定手段が、前記外部抵抗器が接続されている端子に電力を供給している電源から供給される電力により動作する信号の動作頻度を判定する判定工程を有し、
前記判定工程で判定される動作頻度が所定値以上の場合に、前記インピーダンス整合工程におけるインピーダンス整合を行わせない制御信号を出力することを特徴とする撮像装置におけるインピーダンス整合方法。
【請求項８】
インピーダンス整合手段が、インピーダンス整合のための基準となる抵抗値を有する外部抵抗器が接続された集積回路の端子の出力インピーダンスを前記外部抵抗器の抵抗値に対応して整合させるインピーダンス整合工程と、
信号生成手段が、前記インピーダンス整合工程でのインピーダンス整合においてノイズの影響を受けると判断される場合に、前記インピーダンス整合工程におけるインピーダンス整合を行わせない制御信号を出力する信号生成工程と、を備え、
前記信号生成工程は、フラッシュ装置を充電している期間では、前記インピーダンス整合工程におけるインピーダンス整合を行わせない制御信号を出力することを特徴とする撮像装置におけるインピーダンス整合方法。
【請求項９】
インピーダンス整合手段が、インピーダンス整合のための基準となる抵抗値を有する外部抵抗器が接続された集積回路の端子の出力インピーダンスを前記外部抵抗器の抵抗値に対応して整合させるインピーダンス整合工程と、
信号生成手段が、前記インピーダンス整合工程でのインピーダンス整合においてノイズの影響を受けると判断される場合に、前記インピーダンス整合工程におけるインピーダンス整合を行わせない制御信号を出力する信号生成工程と、を備え、
前記信号生成工程は、レンズ駆動部が撮像レンズを駆動している期間では、前記インピーダンス整合工程におけるインピーダンス整合を行わせない制御信号を出力することを特徴とする撮像装置におけるインピーダンス整合方法。
【請求項１０】
インピーダンス整合手段が、インピーダンス整合のための基準となる抵抗値を有する外部抵抗器が接続された集積回路の端子の出力インピーダンスを前記外部抵抗器の抵抗値に対応して整合させるインピーダンス整合工程と、
信号生成手段が、前記インピーダンス整合工程でのインピーダンス整合においてノイズの影響を受けると判断される場合に、前記インピーダンス整合工程におけるインピーダンス整合を行わせない制御信号を出力する信号生成工程と、を備え、
前記信号生成工程は、本撮影をする前に測光、ＡＦ処理を指示するスイッチが押された場合には、前記インピーダンス整合工程におけるインピーダンス整合を行わせない制御信号を出力することを特徴とする撮像装置におけるインピーダンス整合方法。
【請求項１１】
インピーダンス整合手段が、インピーダンス整合のための基準となる抵抗値を有する外部抵抗器が接続された集積回路の端子の出力インピーダンスを前記外部抵抗器の抵抗値に対応して整合させるインピーダンス整合工程と、
信号生成手段が、前記インピーダンス整合工程でのインピーダンス整合においてノイズの影響を受けると判断される場合に、前記インピーダンス整合工程におけるインピーダンス整合を行わせない制御信号を出力する信号生成工程と、を備え、
前記信号生成工程は、バッテリの出力電圧が所定値以下の場合に、前記インピーダンス整合工程におけるインピーダンス整合を行わせない制御信号を出力することを特徴とする撮像装置におけるインピーダンス整合方法。
【請求項１２】
前記インピーダンス整合工程は、前記バッテリの出力電圧に基づき生成された基準電圧を用いて、出力インピーダンスの整合を行うことを特徴とする請求項１１に記載の撮像装置におけるインピーダンス整合方法。
【発明の詳細な説明】
【技術分野】
【０００１】
本発明は、撮像装置の集積回路の出力インピーダンスとの整合を取るインピーダンス整合技術に関するものである。
【背景技術】
【０００２】
一般には、同じ集積回路であっても、その製造プロセスにおける製造条件の変動により、トランジスタや抵抗の抵抗値が小さく動作速度が高速なものから、その抵抗値が大きく動作速度が低速なものが生成されることがある。また集積回路の動作中に電源電圧が変動したり、また温度が変動することにより、動作中にトランジスタの抵抗値が変動して動作速度が変動することがある。
【０００３】
高速インターフェース回路では、集積回路の出力インピーダンスと外部負荷との間でインピーダンスの整合をとる必要がある。これは、集積回路の出力インピーダンスと外部負荷の間でのインピーダンスの不整合による反射波の発生を防止するためである。
【０００４】
しかし、集積回路の出荷時や、電源投入直後に出力インピーダンスの整合を行ったとしても、その集積回路動作中に電源電圧が変動したり温度変動が発生すると出力インピーダンスが変動してインピーダンスの整合がとれなくなることがある。
【０００５】
このような問題に対処するために、集積回路の動作中に集積回路の出力ドライバのインピーダンスを動的に校正してインピーダンス整合を行うことにより、電源電圧の変動や温度変動による伝送線路上の反射波の発生を抑制することが提案されている。
【０００６】
このようなインピーダンス整合を行う方法としては、高精度の外部抵抗を参照して、出力端子の出力インピーダンスを、この外部抵抗の抵抗値に対応させてインピーダンス整合するものがある。特許文献１では、高精度の外部抵抗と、ＰＭＯＳアレイ又はＮＭＯＳアレイで分圧された電圧と基準電圧とをオペアンプで比較している。そして、そのオペアンプの出力を基にＰＭＯＳアレイ又はＮＭＯＳアレイの中で動作させるトランジスタ数を制御することによりインピーダンスの整合を行っている。
【０００７】
また特許文献１は、ノイズが大きい環境下でも高精度なインピーダンス調整を行うために、出力インピーダンスの設定値毎にオペアンプの出力を複数回検出している。そして、その検出した信号の多数決論理でこの設定値での出力インピーダンスを判定して、インピーダンス整合中のノイズの影響を軽減する方法を提案している。
【０００８】
また特許文献２は、ノイズが大きい環境下でも高精度なインピーダンス調整を行うことを目的としている。具体的には、出力インピーダンスの設定値毎にインピーダンスの判定を２のｋ乗回行い、その平均を求めて、インピーダンス整合中におけるノイズの影響を軽減する方法を提案している。
【特許文献１】特開２００５−２６８９０号公報
【特許文献２】特開２００７−０６２７７号公報
【発明の開示】
【発明が解決しようとする課題】
【０００９】
しかしながら上述の従来技術では、インピーダンスの整合中にノイズが発生した場合に、ノイズの影響を低減する方法について言及しているが、インピーダンスの整合を適切なタイミングで行うことにより、ノイズの影響を受けにくくする方法については考慮されていない。
【００１０】
本発明は上記従来技術の問題点を解決することを目的とする。
【００１１】
本願発明の一態様によれば、ノイズの影響を受けやすい期間ではインピーダンス整合を行わないようにして、誤ったインピーダンス整合がされるのを防止することができる。
【課題を解決するための手段】
【００１２】
上記目的を達成するために本発明の一態様に係る撮像装置は以下のような構成を備える。即ち、
インピーダンス整合のための基準となる抵抗値を有する外部抵抗器と、
前記外部抵抗器が接続された集積回路の端子の出力インピーダンスを前記外部抵抗器の抵抗値に対応して整合させるインピーダンス整合手段と、
前記インピーダンス整合手段でのインピーダンス整合においてノイズの影響を受けると判断される場合に、前記インピーダンス整合手段にインピーダンス整合を行わせない制御信号を出力する信号生成手段と、を備え、
前記信号生成手段は、
前記外部抵抗器が接続されている端子に電力を供給している電源から供給される電力により動作する信号の動作頻度を判定する判定手段を有し、
前記判定手段により判定される動作頻度が所定値以上の場合に、前記インピーダンス整合手段にインピーダンス整合を行わせない制御信号を出力することを特徴とする。
【００１３】
上記目的を達成するために本発明の一態様に係る撮像装置におけるインピーダンス整合方法は以下のような工程を備える。即ち、
インピーダンス整合手段が、インピーダンス整合のための基準となる抵抗値を有する外部抵抗器が接続された集積回路の端子の出力インピーダンスを前記外部抵抗器の抵抗値に対応して整合させるインピーダンス整合工程と、
信号生成手段が、前記インピーダンス整合工程でのインピーダンス整合においてノイズの影響を受けると判断される場合に、前記インピーダンス整合工程におけるインピーダンス整合を行わせない制御信号を出力する信号生成工程と、を備え、
前記信号生成工程は、
判定手段が、前記外部抵抗器が接続されている端子に電力を供給している電源から供給される電力により動作する信号の動作頻度を判定する判定工程を有し、
前記判定工程で判定される動作頻度が所定値以上の場合に、前記インピーダンス整合工程におけるインピーダンス整合を行わせない制御信号を出力することを特徴とする。
【発明の効果】
【００１４】
本発明によれば、ノイズの影響を受けやすい期間ではインピーダンス整合を行わないようにするため、高精度なインピーダンス整合を行うことができる。
【発明を実施するための最良の形態】
【００１５】
以下、添付図面を参照して本発明の好適な実施の形態を詳しく説明する。尚、以下の実施の形態は特許請求の範囲に係る本発明を限定するものでなく、また本実施の形態で説明されている特徴の組み合わせの全てが本発明の解決手段に必須のものとは限らない。
【００１６】
図１は、本発明の実施の形態に係る撮像装置（カメラ）の概略構成を示すブロック図である。
【００１７】
撮像レンズ２０１は、撮影像を光学的に撮像素子２０２上に結像させる。撮像素子２０２は、その撮影像をアナログの電気信号に変換する。Ａ／Ｄ変換器２０３は、この撮像素子２０２から出力されるアナログ信号をデジタル信号に変換する。
【００１８】
２０４はメモリカードやハードディスク等の記憶媒体であり、撮影された画像データはこの記憶媒体２０４に記録される。メモリ２０５は、撮影した画像データを一時的に格納するための揮発性のメモリである。制御回路２０６は、Ａ／Ｄ変換器２０３、記憶媒体２０４、メモリ２０５、画像信号処理回路２２１、圧縮・伸張回路２２２へのデータの流れを制御する。画像信号処理回路２２１は、Ａ／Ｄ変換器２０３によりデジタル信号に変換された画像信号に対して色補正等の信号処理を行う。圧縮・伸張回路２２２は、画像信号処理回路２２１により信号処理が施された画像データを符号化したり、またその符号化した画像データを復号する。また制御回路２０６は、フラッシュ装置２５０、ＳＷ１（２５１）、ＳＷ２（２５２）、モードダイヤル２５３、レンズ駆動部２５４、バッテリ電圧検出回路２５５から出力される信号に基づいてＩＯ駆動能力制御部２２３を制御する。ＳＷ１（２５１）はレリーズボタン（不図示）が半押しの状態でオンになり、このスイッチがオンになると撮影のための準備が行われ測光処理やＡＦ処理が指示される。ＳＷ２（２５２）は、レリーズボタンが全押しの状態でオンになり、このスイッチがオンになると撮影が行われる。
【００１９】
２５３はモードダイヤルであり、このダイヤル２５３を回転させることにより、静止画撮影モード、動画撮影モード、再生モード等を選択して設定することができる。レンズ駆動部２５４は、撮像レンズ２０１をテレ端或はワイド端方向に駆動する。バッテリ電圧検出回路２５５は、バッテリの電圧値を検出してバッテリ残量を検出するのに使用される。判定回路２５６は、同一の電源グループに属する回路の動作状況を判定する。
【００２０】
２６０は、ロードライブ時のインピーダンスの整合に用いられる外部抵抗器である。２６１はハイドライブ時のインピーダンスの整合に用いられる外部抵抗器である。ここで集積回路２２０は、主に画像信号処理回路２２１、圧縮・伸張回路２２２、ＩＯ駆動能力制御部２２３、判定回路２５６などを含んでいる。パッド３４１は、このＩＯ駆動能力制御部２２３から出力される信号を外部に供給するためのパッドである。
【００２１】
次に、上述した各部から出力される信号について説明する。
【００２２】
２７０はフラッシュ装置２５０が充電中である時にハイレベルになる信号である。２７１はＳＷ１（２５１）が押された時にハイレベルになる信号である。２７２はＳＷ２（２５２）が押された時にハイレベルになる信号である。２７３はモードダイヤル２５３が動画撮影モードに設定されているときにハイレベルになる信号である。２７４はレンズ駆動部２５４で撮像レンズ２０１を駆動中のときにハイレベルになる信号である。２７５はバッテリ電圧が所定値以下になったときにハイレベルになる信号である。２７６はインピーダンスの整合のための外部抵抗器２６０，２６１が接続されたパッド３２８，３０８と同じ電源グループに属するパッドの信号の動作頻度が高い場合にハイレベルになる信号である。２８０はインピーダンス整合を許可／不許可するように制御する制御信号である。この制御信号２８０は、信号２７０，２７１，２７４及び信号２７２，２７３の論理積（ＡＮＤ）を取った信号とを入力するＯＲゲート２７８の出力信号２７７と、信号２７６とを入力するＮＯＲゲート２７９の出力信号である。２８１はＡＮＤゲートで、信号２７２と信号２７３の論理積を求めている。このＡＮＤゲート２８１の出力は、動画撮影モードでレリーズスイッチが全押しされたときにハイレベルとなる。これら判定回路２５６、ＡＮＤゲート２８１、ＯＲゲート２７８、ＮＯＲゲート２７９は、この制御信号２８０の信号生成回路の主要部を構成している。
【００２３】
こうしてフラッシュの充電中、又はＳＷ１（２５１）が押下された、又はバッテリの出力電圧低下時、又は動画撮影モードでＳＷ２（２５２）が押下されると信号２８０がロウレベルになる。更に、撮像レンズ２０１の駆動中、又は同一電源グループが動作中の何れかでも制御信号２８０がロウレベルになる。この制御信号２８０がロウレベルになると、後述するインピーダンス整合回路３００によるインピーダンスの整合が行われなくなる。以下詳しく説明する。
【００２４】
図２は、本実施の形態に係る判定回路２５６の構成を説明する図である。
【００２５】
この図２では、同一の電源グループに属する信号の動作状況を判定する判定回路２５６と、その周辺部を示している。この判定回路２５６からは、同一の電源グループに属する回路の動作中を示す信号２７６が出力される。図１示す外部抵抗器２６０が接続されているパッド３２８と同じ電源グループに属するパッドを示している。判定回路２５６は、これらパッド１０２，１０３，１０４，１０５における信号の状態を検出している。そして、これらパッドの信号値の所定期間内における状態変化が所定回数以上であれば、これらパッド１０２，１０３，１０４，１０５に電力を供給している電源が頻繁に使用されていると判断する。そして、その場合に判定回路２５６は、同一電源グループ動作中信号２７６をハイレベルで出力し、制御信号２８０をロウレベルにしてネゲートする。
【００２６】
尚、この図２では、インピーダンスの整合に用いられる外部抵抗器に接続されたパッドと同じ電源グループに属するパッドの例として一つのグループしか示していない。しかし、インピーダンス整合に用いられる外部抵抗器に接続されたパッドごとに、この図２に示す回路が存在していることはもちろんである。例えば図１に示す回路では、外部抵抗器２６１画接続されたパッド３０８と同じ電源グループに属するパッドの信号値の所定期間内における状態変化を検出する判定回路２５６が設けられている。
【００２７】
図３は、本実施の形態に係るＩＯ駆動能力制御部２２３の構成を示すブロック図である。
【００２８】
３００はインピーダンス整合回路である。３０２はハイドライブ時に使用されるトランジスタ（ｐチャンネル形ＭＯＳＦＥＴ（ＰＦＥＴ））アレイである。このトランジスタアレイ３０２の各トランジスタのベースには、カウンタ３１６の出力値の各ビットが接続されている。従って、このカウンタ３１６の出力値に応じて、オン或はオフ状態のトランジスタの数が変化することになる。３０４は静電気放電保護用抵抗器である。パッド３０８は、集積回路２２０の外部の外部抵抗器２６１を介してＧＮＤに接続されている。抵抗器３１２，３１４は、電源電圧Ｖｄｄを分圧して基準電圧を発生させている。オペアンプ３１０は、電源電圧Ｖｄｄを、この集積回路２２０の出力インピーダンスと外部抵抗器２６１で分圧した電圧値と、抵抗器３１２，３１４で作成された基準電圧とを比較するオペアンプとして機能している。上述したようにアップダウンカウンタ３１６から出力されるデータに応じて、トランジスタアレイ３０２のオン／オフが制御される。このアップダウンカウンタ３１６は、ＥＮ端子に入力される制御信号２８０がハイレベルで、ＤＩＲ端子に入力されるオペアンプ３１０の出力がロウレベルのときにクロック信号（ＣＬＫ）に同期してカウントアップする。逆に、制御信号２８０がハイレベルで、ＤＩＲ端子に入力されるオペアンプ３１０の出力がハイレベルのときにクロック信号（ＣＬＫ）に同期してカウントダウンするように動作する。
【００２９】
３２２は、ロードライブ時に使用されるトランジスタ（ｎチャンネル形ＭＯＳＦＥＴ（ＮＦＥＴ））アレイである。このトランジスタアレイ３２２も前述のトランジスタアレイ３０２の場合と同様に、各トランジスタのベースには、カウンタ３３６の出力値の各ビットが接続されている。従って、このカウンタ３３６の出力値に応じて、オン或はオフ状態のトランジスタの数が変化することになる。３２４は静電気放電保護用抵抗器である。パッド３２８は、集積回路２２０の外部の外部抵抗器２６０を介して電源電圧Ｖｄｄに接続されている。抵抗器３３２，３３４は、電源電圧Ｖｄｄを分圧して基準電圧を発生している。オペアンプ３３０は、電源電圧Ｖｄｄを、この集積回路２２０の出力インピーダンスと外部抵抗器２６０で分圧した電圧値と、抵抗器３３２，３３４で分圧して発生した基準電圧とを比較するオペアンプとして機能している。
【００３０】
アップダウンカウンタ３３６は、前述のアップダウンカウンタ３１６と同様に動作し、そのカウント値に応じてトランジスタアレイ３２２のオン／オフを制御している。
【００３１】
パッド３４０は、出力インピーダンスの測定するのに用いられるパッド３０８，３２８以外のパッドであり、例えばＤＲＡＭ・Ｉ／Ｆなどである。
ドライバ回路３５５は、出力端子であるパッド３４０ごとに設けられており、インピーダンス整合回路３００で取得したインピーダンスの設定値を設定する。
【００３２】
次に、この実施の形態に係るインピーダンス整合回路３００による動作について説明する。
【００３３】
トランジスタアレイ３０２のインピーダンス及び保護用抵抗器３０４のインピーダンスと、外部抵抗器２６１のインピーダンスで電源電圧Ｖｄｄが分圧され、その分圧された電圧値がオペアンプ３１０の反転入力（−）に入力される。一方、このオペアンプ３１０の非反転入力（＋）には、電源電圧Ｖｄｄを抵抗器３１２と抵抗器３１４で分圧した基準電圧が入力される。ここで抵抗器３１２と抵抗器３１４は同じ抵抗値を有しており、オペアンプ３１０の非反転入力へ印加される電圧は、電源電圧の半分であるＶｄｄ／２となる。そして、このオペアンプ３１０の出力は、アップダウンカウンタ３１６のカウント方向を制御するＤＩＲ端子に接続されている。
【００３４】
いまオペアンプ３１０の出力が「０」（ロウレベル）で、かつ制御信号２８０がアサート（ハイレベル）されているとする。この状態は、オペアンプ３１０の反転入力（−）の電圧値がＶｄｄ／２以上の状態を示す。即ち、トランジスタアレイ３０２のインピーダンスが低い状態を示している。この場合は、アップダウンカウンタ３１６はＣＬＫ端子へ入力されるクロックの立ち上がりに同期してカウントアップを行う。カウンタ３１６がカウントアップされるとカウンタ３１６の出力値に含まれる「１」の数が多くなる。これによりトランジスタアレイ３０２の多くがオフ状態にされるため、トランジスタアレイ３０２のインピーダンスが増大する。こうしてオペアンプ３１０の反転入力に印加される電圧が低下する。
【００３５】
一方、オペアンプ３１０の出力が「１」（ハイレベル）で、かつ制御信号２８０がハイレベルであるとする。この状態は、オペアンプ３１０の反転入力（−）の電圧値がＶｄｄ／２以下である状態を示す。即ち、トランジスタアレイ３０２のインピーダンスが高い状態を示している。この場合は、アップダウンカウンタ３１６はＣＬＫ端子へ入力されるクロックの立ち上がりに同期してカウントダウンを行う。こうしてカウンタ３１６がカウントダウンされるとカウンタ３１６の出力値に含まれる「０」の数が多くなる。これによりトランジスタアレイ３０２のトランジスタがより多くオン状態にされてトランジスタアレイ３０２のインピーダンスが低下する。これによりオペアンプ３１０の反転入力に印加される電圧が上昇する。
【００３６】
このようにしてトランジスタアレイ３０２と保護用抵抗器３０４のインピーダンスの和が、外部抵抗器２６０の抵抗値にほぼ一致するときにインピーダンス整合がとれる。
【００３７】
また、トランジスタアレイ３２２のインピーダンス及び保護用抵抗器３２４のインピーダンスと、外部抵抗器２６０のインピーダンスで電源電圧が分圧され、その分圧された電圧値がオペアンプ３３０の非反転入力に入力される。またオペアンプ３３０の反転入力には電源電圧を抵抗器３３２と抵抗器３３４で分圧した基準電圧が入力されている。抵抗器３３２と抵抗器３３４は同じ抵抗値を有しており、オペアンプ３３０の反転入力へ印加される電圧はＶｄｄ／２となる。このオペアンプ３３０の出力は、アップダウンカウンタ３３６のカウント方向を制御するＤＩＲ端子に接続されている。そしてトランジスタアレイ３２２の各トランジスタはカウンタ３３６の出力値によって制御される。
【００３８】
いま、オペアンプ３３０の出力が「０」で、かつ制御信号２８０がハイレベルのとき、アップダウンカウンタ３３６はＣＬＫ端子へ入力されるクロックの立ち上がりに同期してカウントアップを行う。カウンタ３３６がカウントアップされるとカウンタ３３６の出力値に含まれる「１」の数が多くなる。これによりトランジスタアレイ３２２のトランジスタがより多くオン状態にされ、トランジスタアレイ３２２のインピーダンスが減少して、オペアンプ３３０の非反転入力に印加される電圧が低下する。
【００３９】
このようにしてトランジスタアレイ３２２と保護用抵抗器３２４のインピーダンスの和が、外部抵抗器２６０の抵抗値とほぼ一致するときにインピーダンス整合がとれる。
【００４０】
以上のようにして、インピーダンスの整合を行うのに適切な期間であることを表す制御信号２８０がアサートされた期間に、ハードウェアで自動的にインピーダンス整合を行うことができる。尚、これ以外にも、撮像装置２００の状態を制御回路２０６で検出し、その撮像装置２００の状態に応じてインピーダンスの整合を行うようにしてもよい。
【００４１】
図４は、本発明の他の実施の形態に係る撮像装置の制御回路によるインピーダンス整合処理の制御を説明するフローチャートである。尚、この実施の形態では、前述した信号２７０乃至２７６が制御回路２０６に入力されているものとする。
【００４２】
まずステップＳ１０１で、外部抵抗器２６０或は外部抵抗器２６１と同じ電源グループに属する信号が高頻度で動作しているか判定する。この判定処理は前述した図２の判定回路２５６による判定処理と同様にして実行できる。そして同じ電源グループに属する信号が高頻度で動作していると判断すると、インピーダンスの制御処理を行うことなく処理を終了する。
【００４３】
集積回路２２０では、一般に、幾つかのパッド毎に電源端子とＧＮＤ端子が設けられており、それら電源端子とＧＮＤとの組がグループ化され、各グループに対してそれぞれ電源が供給されている。そして外部抵抗器２６０或は外部抵抗器２６１と同じグループに属する信号が動作している場合には、これら信号の同時スイッチングによるノイズの影響を受けてＧＮＤレベルが変動するおそれがある。これにより、オペアンプ３１０の反転入力、或はオペアンプ３３０の非反転入力に印加される電圧が変動する可能性がある。そのため、外部抵抗器２６０或は外部抵抗器２６１と同じグループに属する信号の動作頻度が高い（所定値以上）期間では、インピーダンス整合回路３００によるインピーダンスの整合を行わないようにしている。こうして誤ったインピーダンス整合がなされるのを防止している。
【００４４】
このステップＳ１０１では、制御回路２０６は、に外部抵抗器２６０或は外部抵抗器２６１と同じグループに属する信号を入力して、その変動を調べて判定しても良く、或は前述の判定回路２５６の出力信号２７６を入力して判定しても良い。尚、この出力信号２７６は、判定回路２５６から、それらグループの数に対応する数だけ出力されることは前述した通りである。
【００４５】
次にステップＳ１０２に進み、信号２７０に基づいて、フラッシュ装置２５０のフラッシュが充電中であるか判定する。充電中であればインピーダンスの制御処理を行うことなく処理を終了する。充電中は、フラッシュ装置２５０のキャパシタに多くの電流が流れ込むため電源電圧が変動する場合がある。そのため、フラッシュの充電中はインピーダンス整合回路３００でインピーダンスの整合処理を行わないようにして、誤ったインピーダンス整合がなされるのを防止している。
【００４６】
次にステップＳ１０３に進み、レンズ駆動部２５４により撮像レンズ２０１を駆動しているか否かを判定する。撮像レンズ２０１の駆動中であればインピーダンスの制御処理を行うことなく処理を終了する。これは撮像レンズ２０１を駆動するためにモータを動作させるとＧＮＤラインにノイズがのる場合がある。そのため、撮像レンズ２０１の駆動中は、インピーダンス整合回路３００でインピーダンス整合を行わないようにして、誤ったインピーダンス整合がなされるのを防止している。
【００４７】
次にステップＳ１０４に進み、ＳＷ１（２５１）が押されたかどうか判定する。ＳＷ１が押下されるとインピーダンスの制御処理を行うことなく処理を終了する。ＳＷ１（２５１）が押されると、本撮影の前段階として測光、ＡＦ処理などの処理が行われるため、集積回路２２０で動作するトランジスタの数が多くなり、集積回路２２０自身がノイズの発生源になる可能性がある。そのため、ＳＷ１（２５１）が押された場合にはインピーダンス整合回路３００によるインピーダンスの整合を行わないようにして、誤ったインピーダンス整合がなされるのを防止している。
【００４８】
次にステップＳ１０５に進み、動画撮影中であるか判定する（Ｓ１０５）。動画撮影中であればインピーダンスの制御処理を行うことなく処理を終了する。動画撮影中は、撮像素子２０２、Ａ／Ｄ変換器２０３を介して送られる画像データを、画像信号処理回路２２１でＲＡＷデータからＹＵＶデータへの変換、ホワイトバランス処理、γ補正等の画像処理を行う。そして、コマ落ちさせることなく圧縮・伸張回路２２２で所定のフォーマットに圧縮して記憶媒体２０４に記録する。これにより集積回路２２０で動作するトランジスタの数が多くなり、集積回路２２０自身がノイズの発生源になる可能性がある。そのため動画撮影中はインピーダンス整合回路３００によるインピーダンス整合を行わないようにして、誤ったインピーダンス整合がなされるのを防止している。
【００４９】
次にステップＳ１０６に進み、バッテリ電圧が低下しているか否かを判定する。バッテリ電圧が所定値以下に低下していればインピーダンスの制御処理を行うことなく処理を終了する。これは、バッテリ電圧が低下している場合は、電源電圧を抵抗器３１２と抵抗器３１４で分圧して生成している基準電圧も低下する。このためインピーダンス整合の判定を行うオペアンプ３１０での出力インピーダンスの判定が正確に行えなくなる。よって、バッテリ電圧が低下している場合は、インピーダンス整合回路３００でインピーダンス整合を行わないようにして、誤ったインピーダンス整合がなされるのを防止している。
【００５０】
こうしてステップＳ１０１からＳ１０６のどれにも当てはまらない場合はステップＳ１１０に進み、インピーダンス整合回路３００によるインピーダンスの整合を行う。
【００５１】
尚、上記他の実施の形態では、制御回路２０６は信号２７０乃至２７６を入力して、各種状態を判別するとして説明した。しかしながら、これ以外にも、制御回路２０６の制御動作に従って、例えばレンズ駆動部２５４が動作中であるか、モードダイヤル２５３の設定とＳＷ２の状態に基づいて動画撮影中かどうかを判別するようにしても良い。
【図面の簡単な説明】
【００５２】
【図１】本発明の実施の形態に係る撮像装置（カメラ）の概略構成を示すブロック図である。
【図２】本実施の形態に係る判定回路の構成を説明する図である。
【図３】本実施の形態に係るＩＯ駆動能力制御部の構成を示すブロック図である。
【図４】本発明の他の実施の形態に係る撮像装置の制御回路によるインピーダンス整合処理の制御を説明するフローチャートである。
【図１】
0005017145.tif 000002
【図２】
0005017145.tif 000003
【図３】
0005017145.tif 000004
【図４】
0005017145.tif 000005